(57)【要約】【課題】ＦＭ放送に対する増幅機能を維持した状態で、ＶＨＦ帯のアナログＴＶ放送に対する増幅機能を停止できる高周波増幅装置を提供する。【解決手段】入力端子２１に入力される信号を分波器によりＦＭ及びＶＨＦ低帯域を含むＦＭ・ＶＨＦ（Ｌ）信号とＶＨＦ高帯域のＶＨＦ（Ｈ）信号に分離し、ＦＭ・ＶＨＦ（Ｌ）増幅部３７及びＶＨＦ（Ｈ）増幅部４３で増幅し、混合回路４７で混合して出力端子２２から出力する。そして、上記ＦＭ・ＶＨＦ（Ｌ）増幅部３７の前段にＦＭ放送信号を選択するローパスフィルタ３５及び信号切換スイッチ３３を設け、ＶＨＦ帯のＴＶ放送が行なわれている状態では、バンドパスフィルタ３２で選択したＦＭ信号及びＴＶ信号をＦＭ・ＶＨＦ（Ｌ）増幅部３７に入力し、ＶＨＦ帯のＴＶ放送が終了した後は、ローパスフィルタ３５によりＦＭ信号を選択してＦＭ・ＶＨＦ（Ｌ）増幅部３７に入力する。【選択図】    図１
2007043387.tif 000002
【特許請求の範囲】
【請求項１】
受信したＦＭ放送信号及びテレビ放送信号を増幅する高周波増幅装置において、外部入力されるＦＭ放送信号及びＶＨＦ帯における低帯域のテレビ放送信号からなる第１の信号とＶＨＦ帯における高帯域のテレビ放送信号からなる第２の信号とを分波する分波回路と、前記分波回路により分波された第１の信号を増幅する第１の増幅回路と、前記分波回路により分波された第２の信号を増幅する第２の増幅回路と、前記分波回路により分波された第１の信号の中からＦＭ放送信号を選択して取り出すフィルタと、前記フィルタを前記分波回路と第１の増幅回路との間に選択的に介在させる信号切換スイッチと、前記第１及び第２の増幅回路で増幅された信号を混合して出力する混合回路とを具備することを特徴とする高周波増幅装置。
【請求項２】
前記第１及び第２の増幅回路に動作電源を供給する直流電源と、前記フィルタが前記信号切換スイッチにより回路から切り離されている状態では前記第１及び第２の増幅回路に前記直流電源から規定の動作電圧／電流を供給し、前記フィルタが前記信号切換スイッチにより前記分波回路と第１の増幅回路との間に介在されている状態では前記第１の増幅回路に規定値より低い動作電圧／電流を供給すると共に前記第２の増幅回路の動作電源を遮断する電源切換スイッチとを具備することを特徴とする請求項１に記載の高周波増幅装置。
【発明の詳細な説明】
【技術分野】
【０００１】
本発明は、アンテナで受信したＴＶ放送電波を増幅してＴＶ受像機に入力する高周波増幅装置に関する。
【背景技術】
【０００２】
現在、テレビジョンの地上放送は、ＶＨＦ帯とＵＨＦ帯で行なわれている。上記ＶＨＦ帯とＵＨＦ帯のＴＶ放送を一般家庭におけるＴＶ受像機で受信する場合、アンテナで受信したＴＶ放送波の信号レベルが低いときには、高周波増幅装置（ブースタ）を使用して受信信号（ＶＨＦ帯及びＵＨＦ帯のＴＶ放送信号）を増幅している（例えば、特許文献１参照。）。上記従来の高周波増幅装置は、ＶＨＦ帯及びＵＨＦ帯のＴＶ放送信号だけでなく、一般に１〜３チャンネルのＴＶ放送帯域に近接しているＦＭ放送帯域に対しても増幅機能を備えている。
【０００３】
地上デジタル（テレビジョン）放送（ISTB-T：Terrestrial Integrated Services Digital Broadcasting）は、２００３年１２月から関東、近畿及び中京広域圏で既に放送が開始されており、２００６年までにその他の地域でも放送開始が予定されている。上記地上デジタル放送の開始に伴い、２０１１年７月にはＶＨＦのアナログＴＶ放送が終了する。しかし、アナログＴＶ放送終了後においても、ＦＭ放送はそのまま継続して行なわれることになっている。
【０００４】
上記のようにＶＨＦ帯のアナログＴＶ放送は２０１１年７月には終了し、その後はテレビ放送ではなく、他の様々な用途に使用されることになっている。このためアナログＴＶ放送終了後、高周波増幅装置においてＶＨＦ帯の増幅を継続すると、アナログＴＶ放送に代わる他の様々な電波を増幅することになり、本来の目的であるＵＨＦ帯の信号増幅に支障をきたす恐れがある。このためアナログＴＶ放送終了後は、ＶＨＦ増幅回路の動作を停止させることが望ましい。
【０００５】
図３は、従来の高周波増幅装置におけるＶＨＦ増幅回路部分の構成例を示したものである。図３において、１１は入力端子で、ＶＨＦ受信用アンテナで受信されたＴＶ信号が入力される。この入力端子１１に入力されたＴＶ信号は、分波回路１２で、ＦＭ信号及び１〜３チャンネルのＶＨＦ低帯域を含むＦＭ・ＶＨＦ（Ｌ）信号（７６〜１０８ＭＨｚ）と４〜１２チャンネルのＶＨＦ高帯域のＶＨＦ（Ｈ）信号（１７０〜２２２ＭＨｚ）に分離される。
【０００６】
上記分波回路１２で分離された低帯域のＦＭ・ＶＬ信号は、ＦＭ・ＶＨＦ（Ｌ）増幅回路１３に入力され、高帯域のＶＨＦ（Ｈ）信号はＶＨＦ（Ｈ）増幅回路１４に入力される。上記ＦＭ・ＶＨＦ（Ｌ）増幅回路１３は、７６〜１０８ＭＨｚの信号を増幅し、ＶＨＦ（Ｈ）増幅回路１４は１７０〜２２２ＭＨｚの信号を増幅する。上記ＦＭ・ＶＨＦ（Ｌ）増幅回路１３及びＶＨＦ（Ｈ）増幅回路１４で増幅された信号は、混合回路１５で混合され、出力端子１６より同軸ケーブルを介してＦＭ／Ｕ・Ｖ分波器（図示せず）へ送られ、ＦＭ信号とＵＨＦ・ＶＨＦのＴＶ信号とに分波される。このＦＭ／Ｕ・Ｖ分波器で分波されたＦＭ信号はＦＭチューナへ送られ、ＵＨＦ・ＶＨＦのＴＶ信号はＴＶ受像機へ送られる。
【０００７】
上記従来の高周波増幅装置は、ＶＨＦの１〜３チャンネルの低帯域を増幅するＦＭ・ＶＨＦ（Ｌ）増幅回路１３において、ＦＭ放送を含む７６〜１０８ＭＨｚの信号を増幅している。
【特許文献１】特開２００３−１２５２３１号公報
【発明の開示】
【発明が解決しようとする課題】
【０００８】
上記のように高周波増幅装置は一般にＶＨＦ帯及びＵＨＦ帯の受信だけでなく、ＦＭ放送の受信機能も備えており、ＦＭ・ＶＨＦ（Ｌ）増幅回路１３において、ＦＭ放送を含む７６〜１０８ＭＨｚの信号を増幅している。
【０００９】
このため従来の高周波増幅装置において、アナログＴＶ放送終了後にＶＨＦ増幅回路の動作を停止する場合、ＶＨＦ（Ｈ）増幅回路１４と共にＦＭ・ＶＨＦ（Ｌ）増幅回路１３の動作を停止すると、アナログＴＶ放送だけでなく、放送を継続している７６〜９０ＭＨｚのＦＭ放送に対しても増幅機能が失われるという問題がある。
【００１０】
本発明は上記の課題を解決するためになされたもので、ＦＭ放送に対する増幅機能を維持した状態で、ＶＨＦ帯のアナログＴＶ放送に対する増幅機能を停止することができる高周波増幅装置を提供することを目的とする。
【課題を解決するための手段】
【００１１】
第１の発明は、受信したＦＭ放送信号及びテレビ放送信号を増幅する高周波増幅装置において、外部入力されるＦＭ放送信号及びＶＨＦ帯における低帯域のテレビ放送信号からなる第１の信号とＶＨＦ帯における高帯域のテレビ放送信号からなる第２の信号とを分波する分波回路と、前記分波回路により分波された第１の信号を増幅する第１の増幅回路と、前記分波回路により分波された第２の信号を増幅する第２の増幅回路と、前記分波回路により分波された第１の信号の中からＦＭ放送信号を選択して取り出すフィルタと、前記フィルタを前記分波回路と第１の増幅回路との間に選択的に介在させる信号切換スイッチと、前記第１及び第２の増幅回路で増幅された信号を混合して出力する混合回路とを具備することを特徴とする。
【００１２】
第２の発明は、前記第１の発明に係る高周波増幅装置において、前記第１及び第２の増幅回路に動作電源を供給する直流電源と、前記フィルタが前記信号切換スイッチにより回路から切り離されている状態では前記第１及び第２の増幅回路に前記直流電源から規定の動作電圧／電流を供給し、前記フィルタが前記信号切換スイッチにより前記分波回路と第１の増幅回路との間に介在されている状態では前記第１の増幅回路に規定値より低い動作電圧／電流を供給すると共に前記第２の増幅回路の動作電源を遮断する電源切換スイッチとを具備することを特徴とする。
【発明の効果】
【００１３】
本発明によれば、ＶＨＦ帯のアナログＴＶ放送が終了した場合、信号切換スイッチを切換えることにより、ＦＭ放送波のみを増幅して出力することができ、不要な電波を増幅してＴＶ受像機あるいは他の電子機器に悪影響を与える恐れを全く無くすことができる。また、電源切換スイッチにより第２の増幅回路の動作を停止すると共に第１の増幅回路の動作電流を減少させることが可能となり、消費電力を低減して電気代を節約できるという経済的効果も得られる。
【発明を実施するための最良の形態】
【００１４】
以下、図面を参照して本発明の実施形態を説明する。  
（第１実施形態）
図１は、本発明の第１実施形態に係る高周波増幅装置２０Ａの構成例を示すブロック図である。  
高周波増幅装置２０Ａは、ＦＭ・ＶＨＦ増幅系統３０とＵＨＦ増幅系統５０を備えている。入力端子２１には、ＶＨＦ受信用アンテナで受信されたＦＭ信号及びＶＨＦ帯のＴＶ信号（７６〜２２２ＭＨｚ）とＵＨＦ受信用アンテナで受信されたＵＨＦ帯のＴＶ信号（４７０〜７７０ＭＨｚ）が混合されて入力される。この入力端子２１に入力された信号は、ＦＭ・ＶＨＦ増幅系統３０のローパスフィルタ（ＬＰＦ）３１及びＵＨＦ増幅系統５０のハイパスフィルタ（ＨＰＦ）５１に入力される。上記ローパスフィルタ３１、５１によってＶＨＦ帯とＵＨＦ帯のＴＶ信号を分派する分波回路を構成している。
【００１５】
上記ＦＭ・ＶＨＦ増幅系統３０のローパスフィルタ３１は、ＶＨＦ帯域における２２２ＭＨｚ以下の信号を通過させるもので、その出力信号はＶＨＦ低帯域用のバンドパスフィルタ（ＢＰＦ）３２及びＶＨＦ高帯域用のバンドパスフィルタ（ＢＰＦ）４１に入力される。上記バンドパスフィルタ３２、４１によってＶＨＦの低帯域（ＦＭ信号及び１〜３チャンネルのＴＶ信号）と高帯域（４〜１２チャンネルのＴＶ信号）を分波する分波回路を構成している。
【００１６】
上記ＶＨＦ低帯域用のバンドパスフィルタ（ＢＰＦ）３２は、ＦＭ信号及び１〜３チャンネルのＶＨＦ低帯域を含むＦＭ・ＶＨＦ（Ｌ）信号（７６〜１０８ＭＨｚ）を通過させるもので、その出力信号は信号切換スイッチ３３に入力される。この信号切換スイッチ３３は、２回路２接点のスイッチで、固定接点ａ、ａ′、ｂ、ｂ′、ｃ、ｃ′及び可動接点ｄからなり、可動接点ｄの切換えによって固定接点ａ−ｂ間及びａ′−ｂ′間と、固定接点ｂ−ｃ間及びｂ′−ｃ′間とを切換え接続する。そして、上記信号切換スイッチ３３の固定接点ｂに上記バンドパスフィルタ３２の出力信号が入力される。また、信号切換スイッチ３３は、固定接点ａ−ａ′間がショート回路３４により短絡接続され、固定接点ｃ、ｃ′間に９０ＭＨｚのローパスフィルタ（ＬＰＦ）３５が接続される。このローパスフィルタ３５は、７６〜９０ＭＨｚのＦＭ周波数帯域の信号を通過させる。
【００１７】
上記信号切換スイッチ３３によりショート回路３４あるいはローパスフィルタ３５を介して取り出される信号は、信号レベル調整用のアッテネータ３６を介してＦＭ・ＶＨＦ（Ｌ）増幅部３７に入力される。このＦＭ・ＶＨＦ（Ｌ）増幅部３７は、例えば２段の増幅器３８ａ、３８ｂと利得調整用の可変抵抗３９により構成される。このＦＭ・ＶＨＦ（Ｌ）増幅部３７で増幅された信号は、７６〜１０８ＭＨｚの信号を選択するバンドパスフィルタ（ＢＰＦ）４０を介して混合回路４７に入力される。
【００１８】
また、上記ローパスフィルタ３１で選択された信号が入力されるＶＨＦ高帯域用のバンドパスフィルタ（ＢＰＦ）４１は、４〜１２チャンネルのＶＨＦ高帯域のＶＨＦ（Ｈ）信号（１７０〜２２２ＭＨｚ）を選択するもので、その出力信号は信号レベル調整用のアッテネータ４２を介してＶＨＦ（Ｈ）増幅部４３に入力される。このＶＨＦ（Ｈ）増幅部４３は、例えば２段の増幅器４４ａ、４４ｂと利得調整用の可変抵抗４５により構成され、その出力信号は１７０ＭＨｚ以上の信号を選択するハイパスフィルタ（ＨＰＦ）４６を介して混合回路４７に入力される。
【００１９】
混合回路４７は、バンドパスフィルタ４０から出力されるＦＭ・ＶＨＦ（Ｌ）とハイパスフィルタ４６から出力されるＶＨＦ（Ｈ）信号とを混合し、ローパスフィルタ（ＬＰＦ）４８を介して混合回路４９に入力する。上記ローパスフィルタ４８は、２２２ＭＨｚ以下の信号、すなわちＦＭ・ＶＨＦ（Ｌ）信号及びＶＨＦ（Ｈ）信号からなるＦＭ・ＴＶ信号を選択して出力する。
【００２０】
一方、入力端子２１からＵＨＦ増幅系統５０に入力された信号は、ハイパスフィルタ５１でＵＨＦ帯域における４７０ＭＨｚ以上の信号例えば４７０ＭＨｚ〜７７０ＭＨｚの信号が選択される。このハイパスフィルタ５１の出力信号は、信号レベル調整用のアッテネータ５２を介してＵＨＦ増幅部５３に入力される。このＵＨＦ増幅部５３は、例えば３段の増幅器５４ａ〜５４ｃ及び可変抵抗５５により構成され、その出力信号は４７０ＭＨｚ以上の信号を選択するハイパスフィルタ（ＨＰＦ）５７を介して混合回路４９に入力される。
【００２１】
上記混合回路４９は、ＦＭ・ＶＨＦ増幅系統３０のローパスフィルタ４８から出力されるＦＭ・ＶＨＦ信号とＵＨＦ増幅系統５０のハイパスフィルタ５７から出力されるＵＨＦ信号とを混合し、ＦＭ／Ｕ・Ｖ信号として出力端子２２から出力する。
【００２２】
上記高周波増幅装置２０Ａの出力端子２２から出力されるＦＭ／Ｕ・Ｖ信号は、同軸ケーブル２３によりＦＭ／Ｕ・Ｖ分波器２４へ送られる。このＦＭ／Ｕ・Ｖ分波器２４は、ＦＭ信号とＵＨＦ及びＶＨＦのＴＶ信号を分波し、ＦＭ信号をＦＭチューナへ出力し、ＴＶ信号をＴＶ受像機へ出力する。
【００２３】
なお、上記ＦＭ・ＶＨＦ増幅系統３０の増幅器３８ａ、３８ｂ、４４ａ、４４ｂ及びＵＨＦ増幅系統５０の増幅器５４ａ〜５４ｃには、直流電源から所定の動作電圧が供給されている。
【００２４】
上記のように構成された高周波増幅装置２０Ａにおいて、ＶＨＦ帯のＴＶ放送が行なわれている状態では、信号切換スイッチ３３の可動接点ｄを固定接点ａ−ｂ間、ａ′−ｂ′間側に切換え、バンドパスフィルタ３２とアッテネータ３６との間がショート回路３４により直接接続されるようにする。
【００２５】
上記の設定状態において、ＶＨＦ受信用アンテナで受信された信号は、入力端子２１よりローパスフィルタ３１を介してＦＭ・ＶＨＦ増幅系統３０に取り込まれ、更に、バンドパスフィルタ３２、４１でＦＭ及び１〜３チャンネルのＶＨＦ低帯域を含むＦＭ・ＶＨＦ（Ｌ）信号と４〜１２チャンネルのＶＨＦ高帯域のＶＨＦ（Ｈ）信号に分離される。上記バンドパスフィルタ３２で選択されたＦＭ・ＶＨＦ（Ｌ）信号は、信号切換スイッチ３３からショート回路３４を介してアッテネータ３６に入力され、更にＦＭ・ＶＨＦ（Ｌ）増幅部３７で増幅された後、バンドパスフィルタ４０を介して混合回路４７へ送られる。
【００２６】
また、上記バンドパスフィルタ４１で選択されたＶＨＦ高帯域のＶＨＦ（Ｈ）信号は、アッテネータ４２でレベル調整された後、ＶＨＦ（Ｈ）増幅部４３で増幅され、ハイパスフィルタ４６を介して混合回路４７へ送られる。混合回路４７は、バンドパスフィルタ４０から出力されるＦＭ・ＶＨＦ（Ｌ）とハイパスフィルタ４６から出力されるＶＨＦ（Ｈ）信号とを混合し、ローパスフィルタ４８を介して混合回路４９に入力する。
【００２７】
一方、入力端子２１からＵＨＦ増幅系統５０に入力された信号は、ハイパスフィルタ５１でＵＨＦ帯域における４７０ＭＨｚ以上の信号が選択される。このハイパスフィルタ５１の出力信号は、アッテネータ５２によりレベル調整され、ＵＨＦ増幅部５３で増幅された後、ハイパスフィルタ５７を介して混合回路４９に入力される。
【００２８】
上記混合回路４９は、ＦＭ・ＶＨＦ増幅系統３０のローパスフィルタ４８から出力されるＦＭ・ＶＨＦ信号とＵＨＦ増幅系統５０のハイパスフィルタ５７から出力されるＵＨＦ信号とを混合し、ＦＭ／Ｕ・Ｖ信号として出力端子２２から出力する。この出力端子２２から出力されるＦＭ／Ｕ・Ｖ信号は、同軸ケーブル２３によりＦＭ／Ｕ・Ｖ分波器２４へ送られて分波され、それぞれＦＭチューナ、ＴＶ受像機へ送られる。
【００２９】
上記のようにＦＭ・ＶＨＦ増幅系統３０において、信号切換スイッチ３３の可動接点ｄをａ−ｂ、ａ′−ｂ′側に切換えることにより、ＦＭ放送及びＶＨＦ帯のＴＶ放送（１〜１２チャンネル）が増幅され、ＦＭ／Ｕ・Ｖ分波器２４で分波されてそれぞれＦＭチューナ及びＴＶ受像機へ送られる。
【００３０】
そして、その後、地上デジタル放送の開始に伴ってＶＨＦ帯のアナログＴＶ放送が終了した場合には、ＦＭ・ＶＨＦ増幅系統３０における信号切換スイッチ３３の可動接点ｄをｂ−ｃ、ｂ′−ｃ′側に切換え、バンドパスフィルタ３２で選択されたＦＭ・ＶＨＦ（Ｌ）信号がローパスフィルタ３５を介してアッテネータ３６に入力されるようにする。
【００３１】
また、４〜１２チャンネルのＴＶ信号を増幅するＶＨＦ（Ｈ）増幅系統に対しては、ＶＨＦ（Ｈ）増幅部４３への入力信号レベルが最小となるようにアッテネータ４２を調整すると共に、ＶＨＦ（Ｈ）増幅部４３の利得が最小となるように可変抵抗４５を調整する。
【００３２】
上記のように信号切換スイッチ３３を切換えることにより、バンドパスフィルタ３２で選択されたＦＭ・ＶＨＦ（Ｌ）信号は、ローパスフィルタ３５にて１〜３チャンネルのＴＶ帯域の信号が除去され、７６〜９０ＭＨｚのＦＭ信号のみが取り出される。上記ローパスフィルタ３５から取り出されるＦＭ信号は、アッテネータ３６でレベル調整された後、ＦＭ・ＶＨＦ（Ｌ）増幅部３７で増幅されて混合回路４７へ送られる。
【００３３】
一方、ＶＨＦ（Ｈ）増幅系統では、ＶＨＦ（Ｈ）増幅部４３への入力信号レベルが最小となるようにアッテネータ４２を調整すると共に、ＶＨＦ（Ｈ）増幅部４３の利得が最小となるように可変抵抗４５を調整しているので、ＶＨＦ（Ｈ）増幅部４３からは殆ど信号が出力されない。
【００３４】
上記混合回路４７は、バンドパスフィルタ４０から出力されるＦＭ信号とハイパスフィルタ４６から出力される信号とを混合するが、ハイパスフィルタ４６から出力される信号のレベルがほぼ零となっているので、混合回路４７からはＦＭ信号のみが出力される。
【００３５】
混合回路４７から出力されるＦＭ信号は、ローパスフィルタ４８を介して混合回路４９へ送られ、ＵＨＦ増幅系統５０のハイパスフィルタ５７から出力されるＵＨＦ信号と混合されて出力端子２２から出力される。
【００３６】
上記のように高周波増幅装置２０Ａは、ＶＨＦ帯のＴＶ放送が終了した場合には、信号切換スイッチ３３を切換えることにより、ＶＨＦ帯の増幅機能を停止し、ＦＭ放送波のみを増幅して出力することができるので、不要な電波を増幅してＦＭチューナやＴＶ受像機等の電子機器に悪影響を与える恐れを無くすことができる。
【００３７】
（第２実施形態）
次に本発明に係る高周波増幅装置の第２実施形態について説明する。  
図２は、本発明の第２実施形態に係る高周波増幅装置２０Ｂの構成例を示すブロック図である。この第２実施形態は、上記第１実施形態において、ＦＭ・ＶＨＦ増幅系統３０に電源切換用のスイッチとして上記信号切換スイッチ３３に連動する２回路２接点の電源切換スイッチ６１を使用し、ＦＭ・ＶＨＦ（Ｌ）増幅部３７及びＶＨＦ（Ｈ）増幅部４３に対する電源供給を制御するようにしたものである。
【００３８】
上記電源切換スイッチ６１は、固定接点ａ、ａ′、ｂ、ｂ′、ｃ、ｃ′及び可動接点ｄからなり、この可動接点ｄの切換えによって固定接点ａ−ｂ間及びａ′−ｂ′間と、固定接点ｂ−ｃ間及びｂ′−ｃ′間とを切換え接続する。そして、上記電源切換スイッチ６１の固定接点ｂには直流電源６２が接続され、固定接点ａは電源ライン６３を介してＶＨＦ（Ｈ）増幅系統のＶＨＦ（Ｈ）増幅部４３の増幅器４４ａ、４４ｂの電源供給端子に接続される。また、上記固定接点ｂ−ｂ′間は、内部配線６４により短絡接続される。更に、固定接点ａ′は、電源ライン６５によりＦＭ・ＶＨＦ（Ｌ）増幅部３７における増幅器３８ａ、３８ｂの電源供給端子に直接接続され、固定接点ｃ′は電源ライン６６により抵抗６７を介して上記増幅器３８ａ、３８ｂの電源供給端子に接続される。上記抵抗６７は、直流電源６２から出力される動作電圧Ｖ１を電圧Ｖ２に降圧して増幅器３８ａ、３８ｂに供給する。
【００３９】
すなわち、電源切換スイッチ６１の可動接点ｄを固定接点ａ−ｂ間、ａ′−ｂ′間が接続されるように切換えた場合は、直流電源６２から出力される直流電圧Ｖ１が電源ライン６３によりＶＨＦ（Ｈ）増幅部４３に供給されると共に電源ライン６５により及びＦＭ・ＶＨＦ（Ｌ）増幅部３７に供給され、可動接点ｄを固定接点ｂ−ｃ間、ｂ′−ｃ′間が接続されるように切換えた場合は、ＶＨＦ（Ｈ）増幅部４３への供給電源が遮断されると共に、直流電源６２から出力される直流電圧Ｖ１が抵抗６７により電圧Ｖ２に降圧されてＦＭ・ＶＨＦ（Ｌ）増幅部３７に供給される。その他は、上記第１実施形態と同様の構成であるので、同一部分には同一符号を付して詳細な説明は省略する。
【００４０】
上記の構成において、ＶＨＦ帯のＴＶ放送が行なわれている状態では、ＦＭ・ＶＨＦ増幅系統３０における信号切換スイッチ３３及び電源切換スイッチ６１の可動接点ｄを固定接点ａ−ｂ間、ａ′−ｂ′間が接続されるように切換え設定する。
【００４１】
上記電源切換スイッチ６１の可動接点ｄを固定接点ａ−ｂ間、ａ′−ｂ′間が接続されるように切換えると、直流電源６２から出力される直流電圧Ｖ１が電源ライン６３によりＶＨＦ（Ｈ）増幅部４３に供給されると共に電源ライン６５により及びＦＭ・ＶＨＦ（Ｌ）増幅部３７に供給され、ＶＨＦ（Ｈ）増幅部４３及びＶＨＦ（Ｈ）増幅部４３が通常の動作状態に保持される。
【００４２】
また、信号切換スイッチ３３の可動接点ｄを固定接点ａ−ｂ間、ａ′−ｂ′間が接続されるように切換えると、バンドパスフィルタ３２で選択されたＦＭ・ＶＨＦ（Ｌ）信号は、信号切換スイッチ３３からショート回路３４を介してアッテネータ３６に入力され、信号レベルが調整される。このアッテネータ３６でレベル調整された信号は、ＦＭ・ＶＨＦ（Ｌ）増幅部３７で増幅された後、バンドパスフィルタ４０を介して混合回路４７へ送られる。
【００４３】
また、上記バンドパスフィルタ４１で選択されたＶＨＦ高帯域のＶＨＦ（Ｈ）信号は、アッテネータ４２でレベル調整された後、ＶＨＦ（Ｈ）増幅部４３で増幅され、ハイパスフィルタ４６を介して混合回路４７へ送られる。混合回路４７は、バンドパスフィルタ４０から出力されるＦＭ・ＶＨＦ（Ｌ）とハイパスフィルタ４６から出力されるＶＨＦ（Ｈ）信号とを混合し、ローパスフィルタ４８を介して混合回路４９に入力する。
【００４４】
混合回路４９は、ローパスフィルタ４８から出力されるＦＭ信号及びＶＨＦ帯のＴＶ信号とＵＨＦ増幅系統５０で増幅されたＵＨＦ帯のＴＶ信号とを混合し、出力端子２２から出力する。
【００４５】
そして、ＶＨＦ帯のＴＶ放送が終了した場合には、ＦＭ・ＶＨＦ増幅系統３０における信号切換スイッチ３３及び電源切換スイッチ６１の可動接点ｄを固定接点ｂ−ｃ間、ｂ′−ｃ′間が接続されるように切換え設定する。
【００４６】
上記のように電源切換スイッチ６１を切換えた場合、ＶＨＦ（Ｈ）増幅部４３への動作電源が遮断されので、ＶＨＦ（Ｈ）増幅部４３は増幅動作を停止する。  
また、直流電源６２から出力される直流電圧Ｖ１は、電源切換スイッチ６１の接点ｂ′−ｃ′より電源ライン６６に出力され、抵抗６７を介してＦＭ・ＶＨＦ（Ｌ）増幅部３７に供給される。従って、ＦＭ・ＶＨＦ（Ｌ）増幅部３７の増幅器３８ａ、３８ｂは、通常時より低い電圧、電流で動作する。
【００４７】
一方、上記信号切換スイッチ３３の切換えにより、バンドパスフィルタ３２で選択された７６〜１０８ＭＨｚの信号は、ローパスフィルタ３５に入力されて９０ＭＨｚ以下のＦＭ信号が選択され、アッテネータ３６を介してＦＭ・ＶＨＦ（Ｌ）増幅部３７に入力される。このときＦＭ・ＶＨＦ（Ｌ）増幅部３７における増幅器３８ａ、３８ｂは、上記したように通常時より低い電圧／電流で動作し、上記ローパスフィルタ３５で選択されたＦＭ信号を増幅する。
【００４８】
ＦＭ信号はアナログ映像信号より歪み特性に強く、しかも、ＦＭ・ＶＨＦ（Ｌ）増幅部３７にてＦＭ信号のみを増幅する場合は、増幅する波数が減少して負担が軽くなるので、増幅器３８ａ、３８ｂの動作電圧／電流を減少させてもＦＭ信号を問題なく増幅することができる。
【００４９】
例えば増幅器３８ａ、３８ｂにおいて、ＦＭ信号及びＶＨＦ（Ｌ）信号の両方を増幅する場合に電源ライン６５から４０ｍＡの動作電流を供給していたものとすると、ＶＨＦ帯のＴＶ放送終了後にＦＭ信号のみを増幅する場合は、電源ライン６６より抵抗６７を介して３０ｍＡの動作電流を供給する。上記ＦＭ・ＶＨＦ（Ｌ）増幅部３７に供給する動作電圧／電流は、電源ライン６６に設けた抵抗６７の値によって任意に設定することが可能である。
【００５０】
そして、上記ＦＭ・ＶＨＦ（Ｌ）増幅部３７で増幅されたＦＭ信号は、バンドパスフィルタ４０を介して混合回路４７に入力される。このとき４〜１２チャンネルのＴＶ信号を増幅するＶＨＦ（Ｈ）増幅部４３は、上記したように動作電源が遮断されて動作を停止している。従って、上記混合回路４７からはＦＭ信号のみが出力され、ローパスフィルタ４８を介して混合回路４９へ送られる。混合回路４９は、上記ローパスフィルタ４８を介して与えられるＦＭ信号とＵＨＦ増幅系統５０で増幅されたＵＨＦのＴＶ信号を混合して出力端子２２から出力する。
【００５１】
上記第２実施形態によれば、ＶＨＦ帯のＴＶ放送が終了した場合、ＦＭ・ＶＨＦ増幅系統３０における信号切換スイッチ３３及び電源切換スイッチ６１を切換えることにより、ＦＭ放送波のみを増幅して出力することができるので、不要な電波を増幅してＦＭチューナやＴＶ受像機等の電子機器に悪影響を与える恐れを全く無くすことができる。また、ＶＨＦ（Ｈ）増幅部４３の動作を停止すると共にＦＭ・ＶＨＦ（Ｌ）増幅部３７の動作電流を低減することが可能となり、消費電力を低減して電気代を節約できるという経済的効果も得られる。一方、ＵＨＦ増幅系統５０では、上記ＦＭ・ＶＨＦ増幅系統３０における信号切換スイッチ３３及び電源切換スイッチ６１の切換えに関係なく、ＵＨＦ帯のＴＶ放送に対する増幅動作が行なわれる。
【００５２】
なお、上記実施形態では、ＦＭ信号を含むＶＨＦ帯のＴＶ信号とＵＨＦ帯のＴＶ信号とを混合して入力端子２１に入力する場合について説明したが、その他、例えばＦＭ信号及びＶＨＦ帯ＴＶ信号用の入力端子と、ＵＨＦ帯ＴＶ信号用の入力端子とを別個に設けても良い。更に、ＦＭ信号を含むＶＨＦ帯のＴＶ信号とＵＨＦ帯のＴＶ信号が混合して入力される場合、あるいはそれぞれ別個に入力される場合でも、スイッチにより切換えて対応できるようにいても良い。
【００５３】
また、本発明に係る高周波増幅装置は、一般家庭においてＴＶ放送を受信する場合だけでなく、その他、例えば共同住宅などに設けられる共同受信設備においても使用し得るものである。  
また、本発明は、上記実施形態そのままに限定されるものではなく、実施段階ではその要旨を逸脱しない範囲で構成要素を変形して具体化できるものである。
【図面の簡単な説明】
【００５４】
【図１】本発明の第１実施形態に係る高周波増幅装置の構成例を示すブロック図である。
【図２】本発明の第２実施形態に係る高周波増幅装置の構成例を示すブロック図である。
【図３】従来の高周波増幅装置におけるＶＨＦ増幅回路部分の構成例を示すブロック図である。
【符号の説明】
【００５５】
２０Ａ…第１実施形態に係る高周波増幅装置、２０Ｂ…第２実施形態に係る高周波増幅装置、２１…入力端子、２２…出力端子、２３…同軸ケーブル、２４…ＦＭ／Ｕ・Ｖ分波器、３０…ＦＭ・ＶＨＦ増幅系統、３１…ローパスフィルタ、３２、４１…バンドパスフィルタ、３３…信号切換スイッチ、３４…ショート回路、３５…ローパスフィルタ、３６…アッテネータ、３７…ＦＭ・ＶＨＦ（Ｌ）増幅部、３８ａ、３８ｂ…増幅器、３９…可変抵抗、４０、４１…バンドパスフィルタ、４２…アッテネータ、４３…ＶＨＦ（Ｈ）増幅部、４４ａ、４４ｂ…増幅器、４５…可変抵抗、４６…ハイパスフィルタ、４７…混合回路、４８…ローパスフィルタ、４９…混合回路、５０…ＵＨＦ増幅系統、５１…ハイパスフィルタ、５２…アッテネータ、５３…ＵＨＦ増幅部、５４ａ〜５４ｃ…増幅器、５５…可変抵抗、５７…ハイパスフィルタ、６１…電源切換スイッチ、６２…直流電源、６３、６５、６６…電源ライン、６４…内部配線、６７…抵抗。
【図１】
2007043387.tif 000003
【図２】
2007043387.tif 000004
【図３】
2007043387.tif 000005